(57)【要約】【課題】本発明は、確実かつ経済的に通信終了時の状況を発信側のユーザに通知する通信システムおよびこれに用いる通信端末機を提供する。【解決手段】ファクシミリ装置Ａは、自装置についてファクシミリ受信が可能であるか否かを判断する（ｘ９）。ファクシミリ受信が不可であれば、ファクシミリ装置Ａは、回線を捕捉せず、ファクシミリ受信状況に関し、確認通知としてのショートメッセージデータの送信が必要であるか否かを判断する（ｘ１４）。送信先のファクシミリ装置がＳＭＳ機能を有しており、かつ、ショートメッセージデータの送信対象である場合は、ショートメッセージデータの送信が必要であると判断して回線を捕捉し、ＳＭＳ機能によるショートメッセージデータの送信ルーチンに入る（ｘ１５）。そして、ファクシミリ装置Ａは、登録しているＳＭＳＣ３の発信者ＩＤをダイアルする（ｘ１６）。【選択図】      図６
2004254042.tif 000002
【特許請求の範囲】
【請求項１】
公衆回線網に接続され、公衆回線網を介して相互に通信可能な複数の通信端末機を有し、
各通信端末機間の通信が終了すると、
終了した通信における着信側通信端末機は、発信側通信端末機に対して、終了した通信の状況を示す通信状況情報を送信し、
前記発信側端末機は、前記通信状況情報を受信し、受信した前記通信状況情報を出力することを特徴とする通信システム。
【請求項２】
公衆回線網に接続され、公衆回線網を介して相互に通信可能な複数の通信端末機と、公衆回線網に接続され、公衆回線を介して前記通信端末機とショートメッセージデータの送受信を行うセンタ装置とを有し、
公衆回線網を介した各通信端末機間の通信が終了すると、
終了した通信における着信側通信端末機は、終了した通信の状況を示す通信状況情報を、前記センタ装置を介して発信側通信端末機宛のショートメッセージデータとして送信し、
前記発信側端末機は、前記センタ装置を介してショートメッセージデータを受信し、受信したショートメッセージデータを出力することを特徴とする通信システム。
【請求項３】
前記通信端末機は、ファクシミリデータの送受信を行うファクシミリ通信手段と、
ファクシミリデータの受信が可能かどうかを判断する判断手段とを備え、
着信側通信端末機が着呼信号を受信した際、発信側通信端末機との通信回線を捕捉する前に、前記判断手段がファクシミリデータの受信が可能かどうかを判断し、
受信が可能であれば通信回線を捕捉してファクシミリデータの受信を行い、
受信が不可能であれば通信回線を捕捉せず、通信終了後に、ファクシミリデータが受信不可能であったことを示す通信状況情報を発信側通信端末機に送信することを特徴とする請求項２記載の通信システム。
【請求項４】
前記通信端末機は、ユーザによるオフフックを検出する検出手段を備え、
着呼信号を受信した後、オフフックが検出されれば通信回線を捕捉して音声信号の送受信を行い、
オフフックが検出されなければ通信回線を捕捉せず、通信終了後に、ユーザが通話不可能であったことを示す通信状況情報を発信側通信端末機に送信することを特徴とする請求項２記載の通信システム。
【請求項５】
前記着信側通信端末機は、公衆回線網を通じて送られてくる発信者識別情報を抽出し、抽出した発信者識別情報を用いて、前記通信状況情報を、発信側通信端末機に送信することを特徴とする請求項２〜４のいずれか１つに記載の通信システム。
【請求項６】
前記着信側通信端末機は、送信端末識別信号に含まれる電話番号を抽出し、抽出した電話番号を用いて、前記通信状況情報を、発信側通信端末機に送信することを特徴とする請求項２または３に記載の通信システム。
【請求項７】
前記通信端末機は、前記発信者識別情報または電話番号と、この発信者識別情報または電話番号に該当する通信端末機が対応可能なショートメッセージデータの形式とを関連付けて記憶する記憶手段を備え、
前記ショートメッセージデータをセンタ装置に送信する際に、前記発信側通信装置の発信者識別情報に関連付けられたショートメッセージデータの形式を送信し、
前記センタ装置は、受信したショートメッセージデータの形式に従ってショートメッセージデータを前記発信側通信端末機に送信することを特徴とする請求項５または６記載の通信システム。
【請求項８】
前記通信端末機は、前記発信者識別情報または電話番号と、転送先の通信端末機の発信者識別情報または電話番号とを関連付けて記憶する転送先記憶手段を備え、
前記ショートメッセージデータをセンタ装置に送信する際に、前記転送先の通信端末機宛のショートメッセージデータも送信することを特徴とする請求項５または６記載の通信システム。
【請求項９】
公衆回線網に接続され、公衆回線網を介して相互に通信可能な複数の通信端末機と、公衆回線を介して前記通信端末機とショートメッセージデータの送受信を行うセンタ装置とを有する通信システムを構成する通信端末機であって、
公衆回線網を介した他の通信端末機との通信が終了すると、
終了した通信における着信側であるときは、終了した通信の状況を示す通信状況情報を、前記センタ装置を介して発信側通信端末機宛のショートメッセージデータとして送信し、
発信側であるときは、前記センタ装置を介してショートメッセージデータを受信し、受信したショートメッセージデータを出力することを特徴とする通信端末機。
【発明の詳細な説明】
【０００１】
【発明の属する技術分野】
本発明は、公衆回線網に接続された相互に通信可能な複数の通信端末機を有する通信システムおよびこのシステムに用いる通信端末機に関する。
【０００２】
【従来の技術】
電話機、ファクシミリ装置などの通信端末機は、公衆回線網（Ｐｕｂｌｉｃ
Ｓｗｉｔｃｈｅｄ  Ｔｅｌｅｐｈｏｎｅ  Ｎｅｔｗｏｒｋｓ；ＰＳＴＮ）に接続され、汎用性の高い通信手段として利用されている。特に、電話機は最も簡便な通信手段であり、その普及率は極めて高い。
【０００３】
電話機を用いて通信しようとする場合、発信側電話機のユーザが、まず通話対象の相手側電話機の電話番号をダイヤルすると、発信側電話機はＤＴＭＦ（ＤｕａｌＴｏｎｅ−Ｍｕｌｔｉｐｌｅ  Ｆｒｅｑｕｅｎｃｙ）あるいはパルス信号を交換器に対して発信し、交換器がＰＳＴＮを介して着信側電話機へ着呼信号を送信する。そして、着呼信号によって呼出が行われ、発信側電話機のユーザは相手が電話機をオフフックして応答するのを待つ。しかしながら、着呼信号により、呼出が行われても相手が不在あるいは応答できない状態にある場合には、応答はなされない。このような場合、着呼信号を受信した電話機がユーザに代わって自動でオフフックし、ユーザが応答できない旨のメッセージを通知する留守番機能を利用することができる。
【０００４】
一方、ファクシミリ装置は、操作が簡単であること、また、一般にいずれのファクシミリ装置もＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ：国際電気通信連合−電気通信標準化部門）勧告Ｔ．３０に準拠しており、機種などにかかわらず互いにファクシミリ通信が可能であることから、特に企業などにおいては極めて高い普及率を有している。
【０００５】
ファクシミリ装置を用いてファクシミリ通信をしようとする場合、送信側ファクシミリ装置のユーザは、まずファクシミリ送信対象の相手側ファクシミリ装置の電話番号をダイアルする。送信側ファクシミリ装置がＤＴＭＦあるいはパルス信号を交換器に対して発信し、交換器がＰＳＴＮを介して着呼信号を送信すると、受信側ファクシミリ装置は回線を捕捉し、送信側ファクシミリ装置との回線を確立する。回線が確立されると、送信側のファクシミリ装置はファクシミリデータを送信する。ファクシミリ通信において、回線の確立が不成立に終わった場合には、勧告Ｔ．３０に基づき、送信側ファクシミリ装置に対して所定のエラー通知が行われる。このエラー通知に基づいて、送信側ファクシミリ装置のユーザは、ファクシミリデータの送受信が正常に行われたかを確認することができる。
【０００６】
このように、発信側端末機のユーザが所望の通信を行えなかった場合、留守番機能、あるいは勧告Ｔ．３０に基づくエラー通知などによって、通信状況を把握することができる。
【０００７】
【特許文献１】
特開平９−９３４１２号公報
【０００８】
【発明が解決しようとする課題】
従来の電話機において、留守番機能を利用するためには、当該機能を備えた電話機を購入することが必要となる。留守番機能は通話のために必要不可欠な機能ではないため、すべての電話機に備えられていないからである。したがって、留守番機能を利用するためには、コストがかかることになる。
【０００９】
この留守番機能を備えた電話機を購入したユーザは、留守を通知する旨のメッセージを予め設定しておき、電話機の動作モードを留守番電話モードに切り替えるだけで、当該機能を簡単に利用できる。しかしながら、留守番機能によって留守である旨のメッセージを発信側電話機に通知するためには、回線が一旦捕捉されるため、発信側電話機の通信料金が発生してしまうという問題が生じる。この場合、発信側電話機のユーザは、実際に着信側電話機のユーザと通話しておらず、しかも通話できない理由が着信側電話機のユーザにあるにもかかわらず、通話料金が課金されるという不利益を被ることとなる。
【００１０】
さらに、着信側電話機がファクシミリ機能付電話機であって、その動作モードが電話通信を行う通話モードではなく、ファクシミリ通信を行うファクシミリモードに設定されている場合、ユーザが通話をしようとして発信側電話機から発呼すると、着信側電話機は、自動でオフフックして回線を捕捉し、ファクシミリデータを受信するためにファクシミリ通信のプロトコルで動作を行う。しかし、発信側電話機は、電話通信のプロトコルで動作しているため、ファクシミリ通信を行うことができず、着信側電話機は通信エラーが生じたものとして回線を切断する。このとき、相手側電話機からエラー通知が送信されたとしても、発信側電話機は、電話通信のプロトコルで動作しているため、エラー通知を受信できない。
【００１１】
したがって、発信側電話機のユーザは、回線が切断された理由がわからず、通話しようとした相手側電話機のユーザが不在であるのか否かについても確認することができない。この場合、発信側電話機のユーザは、通話をしようとした相手側電話機のユーザと通話ができず、さらに、その相手が不在であるか否かも確認できない上、通信料金が課金されることとなり、被る不利益は大きい。
【００１２】
一方、従来のファクシミリ装置では、前述のように回線の確立が不成立に終わった場合には送信側ファクシミリ装置にＩＴＵ−Ｔ勧告Ｔ．３０によるエラー通知がなされる。しかしながら、着呼信号の送信段階で受信側ファクシミリ装置がオフフックしない場合は、このＩＴＵ−Ｔ勧告Ｔ．３０によるエラー通知はなされない。
【００１３】
また、受信側ファクシミリ装置にメモリ受信機能がなく、用紙切れなどによりファクシミリデータを正常に受信して記録できない事態が生じても、回線の確立がなされ、ファクシミリデータは送信されていることから、ＩＴＵ−Ｔ勧告Ｔ．３０によるエラー通知はなされない。このような場合、送信側ファクシミリ装置のユーザには直接受信側ファクシミリ装置のユーザに問い合わせる以外、ファクシミリ通信が正常に終了したか否かを確認することができない。また、回線が確立されていることから、ファクシミリ受信が正常に終了しなくとも、送信側ファクシミリ装置には通話料金が課金される。このように、従来の電話機、ファクシミリ装置などの端末機において、不在通知機能、受信通知機能によって通信状況を把握するためには、経済性、確実性の面で問題がある。
【００１４】
本発明の目的は、確実かつ経済的に通信終了時の状況を発信側のユーザに通知する。
【００１５】
【課題を解決するための手段】
本発明は、公衆回線網に接続され、公衆回線網を介して相互に通信可能な複数の通信端末機を有し、
各通信端末機間の通信が終了すると、
終了した通信における着信側通信端末機は、発信側通信端末機に対して、終了した通信の状況を示す通信状況情報を送信し、
前記発信側端末機は、前記通信状況情報を受信し、受信した前記通信状況情報を出力することを特徴とする通信システムである。
【００１６】
本発明に従えば、複数の通信端末機が公衆回線網に接続され、公衆回線網を介して通信端末機間で相互に通信可能に構成されている。
【００１７】
各通信端末機間の通信は、たとえば音声データを送受信する電話通信であったり、ファクシミリデータを送受信するファクシミリ通信である。このような通信端末機間の通信が終了すると、終了した通信において着信側であった通信端末機は、終了した通信において発信側であった通信端末機に対して、終了した通信の状況を示す通信状況情報を送信する。ここで「通信が終了する」とは、通信端末機がたとえばファクシミリ装置である場合、ファクシミリデータの送受信が正常に終了し、回線が切断される場合に限らず、ファクシミリデータの伝送前、すなわち着信側ファクシミリ装置が回線捕捉する前に発信側または着信側ファクシミリ装置がオンフックされるなどして回線が切断される場合なども含む。したがって、通信状況情報には、通信が正常または異常に終了したことや、異常に終了した場合にはその理由などが記述される。
【００１８】
発信側通信端末機は、着信側通信端末機から送信された通信状況情報を受信し、受信した通信状況情報を、ディスプレイから文字で出力したり、スピーカから音声で出力したりする。
【００１９】
これにより、発信側通信端末機のユーザは、ファクシミリデータが正常に送信できたか否かなど、終了した通信の状況を確実に確認することができる。
【００２０】
また本発明は、公衆回線網に接続され、公衆回線網を介して相互に通信可能な複数の通信端末機と、公衆回線網に接続され、公衆回線を介して前記通信端末機とショートメッセージデータの送受信を行うセンタ装置とを有し、
公衆回線網を介した各通信端末機間の通信が終了すると、
終了した通信における着信側通信端末機は、終了した通信の状況を示す通信状況情報を、前記センタ装置を介して発信側通信端末機宛のショートメッセージデータとして送信し、
前記発信側端末機は、前記センタ装置を介してショートメッセージデータを受信し、受信したショートメッセージデータを出力することを特徴とする通信システムである。
【００２１】
本発明に従えば、複数の通信端末機が公衆回線網に接続され、公衆回線網を介して通信端末機間で相互に通信可能に構成されている。また、センタ装置が公衆回線網に接続され、公衆回線を介して通信端末機とショートメッセージデータの送受信が可能に構成されている。
【００２２】
公衆回線網を介した各通信端末機間の通信が終了すると、終了した通信において着信側であった通信端末機は、終了した通信において発信側であった通信端末機宛に、終了した通信の状況を示す通信状況情報を、センタ装置を介してショートメッセージデータとして送信する。
【００２３】
発信側通信端末機は、センタ装置を介して着信側通信端末機から送信されたショートメッセージデータを受信し、受信したショートメッセージデータを、ディスプレイから文字で出力したり、スピーカから音声で出力したりする。
【００２４】
これにより、発信側通信端末機のユーザは、終了した通信の状況を確実に確認することができる。また、通信状況情報は、ショートメッセージデータによって送受信されるので、既存の設備を利用することで、新たなシステムを構築することなくコストを削減することができる。
【００２５】
また本発明は、前記通信端末機は、ファクシミリデータの送受信を行うファクシミリ通信手段と、
ファクシミリデータの受信が可能かどうかを判断する判断手段とを備え、
着信側通信端末機が着呼信号を受信した際、発信側通信端末機との通信回線を捕捉する前に、前記判断手段がファクシミリデータの受信が可能かどうかを判断し、
受信が可能であれば通信回線を捕捉してファクシミリデータの受信を行い、
受信が不可能であれば通信回線を捕捉せず、通信終了後に、ファクシミリデータが受信不可能であったことを示す通信状況情報を発信側通信端末機に送信することを特徴とする。
【００２６】
本発明に従えば、通信端末機のファクシミリ通信手段は、ファクシミリデータの送受信を行う。着呼信号を受信した際、発信側通信端末機との通信回線を捕捉する前に、判断手段がファクシミリデータの受信が可能かどうかを判断する。受信したファクシミリデータを印刷するための用紙が不足していたり、ファクシミリデータを格納するためのメモリの空き容量が不足していたりする場合などは、受信側通信端末装置に起因してファクシミリデータを記録することができないので、判断手段は、ファクシミリデータの受信が不可能であると判断する。受信したファクシミリデータを記録することができる場合は、ファクシミリデータの受信が可能であると判断する。
【００２７】
ファクシミリデータの受信が可能と判断されれば、通信回線を捕捉してファクシミリデータの受信を行い、用紙に印刷したり、メモリに格納する。
【００２８】
ファクシミリデータの受信が不可能と判断されれば、通信回線を捕捉せず、通信終了後に、ファクシミリデータが受信不可能であったことを示す通信状況情報を発信側通信端末機に送信する。着信側通信端末機が通信回線を捕捉しないまま通信が終了する場合としては、発信側通信端末機がファクシミリデータの送信エラーと判断して回線を切断する場合、発信側通信端末機のユーザが通信端末機をオンフックして回線を切断する場合などがある。
【００２９】
これにより、発信側通信端末機による無駄なファクシミリデータの送信を防止することができ、さらに通信料金を発生させず、発信側通信端末機のユーザの経済的負担を削減できる。また、発信側通信端末機のユーザは、着信側通信端末機に起因してファクシミリデータが正常に受信されなかったことを確認することができる。
【００３０】
また本発明は、前記通信端末機は、ユーザによるオフフックを検出する検出手段を備え、
着呼信号を受信した後、オフフックが検出されれば通信回線を捕捉して音声信号の送受信を行い、
オフフックが検出されなければ通信回線を捕捉せず、通信終了後に、ユーザが通話不可能であったことを示す通信状況情報を発信側通信端末機に送信することを特徴とする。
【００３１】
本発明に従えば、着呼信号を受信した後、検出手段がユーザによるオフフックを検出すれば、通信回線を捕捉して音声信号の送受信を行う。オフフックを検出しなければ、通信回線を捕捉せず、通信終了後に、ユーザが通話不可能であったことを示す通信状況情報を発信側通信端末機に送信する。
【００３２】
ユーザが着信側通信端末機の周辺に居ない場合や、周辺に居ても操作できない場合などは、ユーザがオフフックの操作ができず通話不可能となる。また、着信側通信端末機が通信回線を捕捉しないまま通信が終了する場合としては、発信側通信端末機のユーザが通信端末機をオンフックして回線を切断する場合などがある。
【００３３】
これにより、着信側通信端末機のユーザが通話不可能であることを、発信側通信端末機のユーザに知らせる場合に、留守番電話機能のような通信料金は発生せず、発信側通信端末機のユーザの経済的負担を削減できる。
【００３４】
また本発明は、前記着信側通信端末機は発信者識別情報を用いて、前記通信状況情報を、発信側通信端末機に送信することを特徴とする。
【００３５】
本発明に従えば、着信側通信端末機は着呼信号の前あるいは後に送信されてくる発信者識別情報を抽出する。着呼信号は、着信側通信端末機が通信の初期段階で受信する信号で、電話通信およびファクシミリ通信などのプロトコルでは通信回線の捕捉前に受信する信号である。発信者識別情報は、ＣＩＤ（Ｃａｌｌｅｒ  ＩＤ）とも呼ばれ、主に通信端末機に付与された電話番号が用いられる。
【００３６】
着信側通信端末機は、抽出した発信者識別情報を用いて、通信状況情報を、発信側通信端末機に送信する。
【００３７】
これにより、着信側通信端末機は通信回線を捕捉せずに、通信状況情報を発信側通信端末機に送信することができる。
【００３８】
また本発明は、前記着信側通信端末機は、送信端末識別信号に含まれる電話番号を抽出し、抽出した電話番号を用いて、前記通信状況情報を、発信側通信端末機に送信することを特徴とする。
【００３９】
本発明に従えば、着信側通信端末機は、送信端末識別信号に含まれる電話番号を抽出する。送信端末識別信号（ＴＳＩ  ：  Ｔｒａｎｓｍｉｔｔｉｎｇ  Ｓｕｂｓｃｒｉｂｅｒ  Ｉｄｅｎｔｉｆｉｃａｔｉｏｎ）は、着信側通信端末機が通信の初期段階で受信する信号で、Ｇ３ファクシミリ通信などのプロトコルでは通信回線の捕捉前に受信する信号である。具体的に送信端末識別信号は、発信側通信端末機に付与された国際電話番号を表している。
【００４０】
発信側通信端末装置が発信者番号通知制限を設定している場合、発信者識別情報を抽出することはできないが、着信側通信端末機は、送信端末識別信号から抽出した電話番号を用いる。
【００４１】
これにより、通信回線を捕捉せずに、通信状況情報を発信側通信端末機に送信することができる。
【００４２】
また本発明は、前記通信端末機は、前記発信者識別情報または電話番号と、この発信者識別情報に該当する通信端末機が対応可能なショートメッセージデータの形式とを関連付けて記憶する記憶手段を備え、
前記ショートメッセージデータをセンタ装置に送信する際に、前記発信側通信装置の発信者識別情報に関連付けられたショートメッセージデータの形式を送信し、
前記センタ装置は、受信したショートメッセージデータの形式に従ってショートメッセージデータを前記発信側通信端末機に送信することを特徴とする。
【００４３】
本発明に従えば、通信端末機は、前記発信者識別情報または電話番号と、この発信者識別情報に該当する通信端末機が対応可能なショートメッセージデータの形式とを関連付けて記憶手段に記憶する。ショートメッセージデータをセンタ装置に送信する際には、ショートメッセージデータと、発信側通信装置の発信者識別情報に関連付けられたショートメッセージデータの形式とを送信する。ショートメッセージデータの形式には、ファックスフォーマットやヴォイスフォーマットなどがあり、ファックスフォーマットはファクシミリデータとして、ヴォイスフォーマットは音声データとして送受信される。
【００４４】
センタ装置は、受信したショートメッセージデータの形式に従ってショートメッセージデータを発信側通信端末機に送信する。
【００４５】
これにより、着信側通信端末機は、ショートメッセージデータを発信側通信端末機が対応可能な形式に変更する必要がないので、ショートメッセージデータ送信時の処理を削減することができる。
【００４６】
また本発明は、前記通信端末機は、前記発信者識別情報または電話番号と、転送先の通信端末機の発信者識別情報または電話番号とを関連付けて記憶する転送先記憶手段を備え、
前記ショートメッセージデータをセンタ装置に送信する際に、前記転送先の通信端末機宛のショートメッセージデータも送信することを特徴とする。
【００４７】
本発明に従えば、通信端末機は、発信者識別情報または電話番号と、転送先の通信端末機の発信者識別情報または電話番号とを関連付けて転送先記憶手に記憶する。ショートメッセージデータをセンタ装置に送信する際には、発信側通信端末機宛とともに、転送先の通信端末機宛にもショートメッセージデータを送信する。
【００４８】
これにより、たとえば外出先など発信側通信端末機から離れていても転送先の通信端末機で通信状況情報を確認することができる。
【００４９】
また本発明は、公衆回線網に接続され、公衆回線網を介して相互に通信可能な複数の通信端末機と、公衆回線を介して前記通信端末機とショートメッセージデータの送受信を行うセンタ装置とを有する通信システムを構成する通信端末機であって、
公衆回線網を介した他の通信端末機との通信が終了すると、
終了した通信における着信側であるときは、終了した通信の状況を示す通信状況情報を、前記センタ装置を介して発信側通信端末機宛のショートメッセージデータとして送信し、
発信側であるときは、前記センタ装置を介してショートメッセージデータを受信し、受信したショートメッセージデータを出力することを特徴とする通信端末機である。
【００５０】
本発明に従えば、複数の通信端末機が公衆回線網に接続され、公衆回線網を介して通信端末機間で相互に通信可能に構成されている。また、センタ装置が公衆回線網に接続され、公衆回線を介して通信端末機とショートメッセージデータの送受信が可能に構成されている。
【００５１】
公衆回線網を介して他の通信端末機との通信が終了すると、終了した通信において着信側であった場合は、終了した通信において発信側に終了した通信の状況を示す通信状況情報を、センタ装置を介してショートメッセージデータとして送信する。
【００５２】
発信側では、着信側から送信されたショートメッセージデータを、センタ装置を介して受信し、受信したショートメッセージデータを、ディスプレイから文字で出力したり、スピーカから音声で出力したりする。
【００５３】
これにより、発信側の通信端末機のユーザは、終了した通信の状況を確実に確認することができる。また、通信状況情報は、ショートメッセージデータによって送受信されるので、既存の設備を利用することで、新たなシステムを構築することなくコストを削減することができる。
【００５４】
【発明の実施の形態】
以下、本実施形態として、ショートメッセージサービス（Ｓｈｏｒｔ  Ｍｅｓｓａｇｅ
Ｓｅｒｖｉｃｅ；以下、「ＳＭＳ」と略称する。）機能を有するファクシミリ装置、あるいは電話機などの通信端末装置でのメッセージの送受信の手順について説明する。ショートメッセージとは、通常、１００〜２００文字程度の短い文字情報から成る簡単なメッセージである。なお、文字情報を文字として出力できない電話機に対しては、文字情報ではなく音声情報から成るショートメッセージデータが送信される。ＳＭＳとは、ＳＭＳ加入者間でのショートメッセージデータの送受信を仲介するサービスであって、公衆回線網（以下、「ＰＳＴＮ」と呼ぶこととする。）を通信媒体とし、ＳＭＳセンタ（Ｓｈｏｒｔ  Ｍｅｓｓａｇｅ  Ｓｅｒｖｉｃｅ  Ｃｅｎｔｅｒ；以下、「ＳＭＳＣ」と呼ぶこととする。）と呼ばれるセンタ装置と端末機とが通信を行う。
【００５５】
ＳＭＳにおける具体的なショートメッセージデータの送信手順は以下の通りである。
【００５６】
まず、ショートメッセージデータを送信しようとする端末機は、ショートメッセージデータの送信の指示とともに、ショートメッセージデータの送信先となる端末機を指定した情報と、ショートメッセージデータの内容とをＳＭＳＣに送信する。ＳＭＳＣでは、端末機からの指示を受信すると、ショートメッセージデータの送信先となる端末機のデータ形式に応じてショートメッセージデータのデータ形式を変換する。そして、データ形式を変換したショートメッセージデータを送信先の端末機に送信する。このように、ＳＭＳではＳＭＳＣを介してショートメッセージデータのやり取りを行うので、互いにデータ形式が異なり、互換性のない端末機間においても、メッセージのやり取りを行うことができる。
【００５７】
図１は、ＳＭＳ機能を有するファクシミリ装置Ａ，Ｂ、電話機Ｃ，ＤおよびＳＭＳＣ３，４を有する通信システム１の構成図である。ファクシミリ装置Ａ，Ｂ、電話機Ｃ，ＤおよびＳＭＳＣ３，４は公衆回線網（ＰＳＴＮ）２に接続され、相互に通信が可能である。通信システム１の中で、ＳＭＳ機能を有するファクシミリ装置Ａ，Ｂおよび電話機Ｃ，Ｄがどのように動作するのかを説明する。なお、電話機Ｃ，Ｄは、留守番機能を備えていないか、備えていても機能を使用しないモードに設定されているとする。
【００５８】
ファクシミリ装置Ａ，Ｂ、電話機Ｃ，ＤおよびＳＭＳＣ３，４は、ＰＳＴＮ２に接続されている。ファクシミリ装置Ａ，Ｂ、電話機Ｃ，ＤおよびＳＭＳＣ３，４には、ＰＳＴＮを介して相互に通信を行うため、それぞれを識別するための識別番号（電話番号）が与えられている。識別番号は、各端末機を識別するための発信者ＩＤであり、ファクシミリ装置Ａには「１２３  ４５６  ７８９」が、ファクシミリ装置Ｂには「２３４  ５６７  ８９０」が、電話機Ｃには「３４５  ６７８  ９０１」が、電話機Ｄには「４５６  ７８９  ０１２」が、ＳＭＳＣ３には「９８７  ６５４  ３２１」が、ＳＭＳＣ４には「８７６  ５４３  ２１０」が与えられている。
【００５９】
図１に示すように、実線Ｆはファクシミリ装置Ｂからファクシミリ装置Ａへのファクシミリ送信の経路を表し、実線Ｔは電話機Ｄから電話機Ｃへの送信の経路を表す。また、破線ＳＭ１およびＳＭ２は、ショートメッセージデータの送信経路を表す。
【００６０】
以下、第１実施形態ではファクシミリ装置間におけるＳＭＳ機能を利用した受信通知について説明し、第２実施形態では電話機間におけるＳＭＳ機能を利用した不在通知について説明する。
【００６１】
［第１実施形態］
図２は、ＳＭＳ機能を有するファクシミリ装置Ａの構成を示すブロック図である。ファクシミリ装置Ａは、網制御装置２２、画像用モデム２３、制御装置２４、入力装置２５、印刷装置２６、画像読取装置２７、ＲＯＭ（Ｒｅａｄ  Ｏｎｌｙ  Ｍｅｍｏｒｙ）２８、メモリ装置２９、表示装置２００、スピーチ回路２２１および送受話器２２２から構成される。さらに、入力装置２５はＳＭＳ関連操作部２５１および汎用操作部２５２から成り、メモリ装置２９は汎用メモリ部２９１、ＳＭＳ関連テーブル・メモリ部２９２および送信先別条件設定テーブル部２９３から成る。網制御装置２２、画像用モデム２３、制御装置２４、入力装置２５およびＳＭＳ関連テーブル・メモリ部２９２は、メッセージ送受信手段を構成する。制御装置２４および印刷装置２６は状態判断手段を構成する。網制御装置２２、画像用モデム２３および制御装置２４は、回線処理手段を構成する。
【００６２】
網制御装置２２は、ＰＳＴＮ（公衆回線網）２が要求する電気的特性を有し、ＰＳＴＮ２に接続するとともに、ＰＳＴＮ２の状態を監視したり、ＰＳＴＮ２を介した信号の送受信を行ったりする。画像用モデム２３は、ファクシミリデータの送信を行うために、画像データのデジタル信号をＰＳＴＮ２に適したアナログ信号に変調する。また、画像用モデム２３は、ＰＳＴＮ２から受信したアナログ信号のファクシミリデータを復調したり、さらには、ＳＭＳ機能およびＣＬＩＰ（Ｃａｌｌｉｎｇ  Ｌｉｎｅ  Ｉｄｅｎｔｉｆｉｃａｔｉｏｎ  Ｐｒｅｓｅｎｔａｔｉｏｎ）機能に関与する電気信号に対しても変復調を行ったりする。ＣＬＩＰ機能とは、着呼の際に発信者の電話番号を端末機の表示装置に表示し、応答前に受信側の端末機のユーザに発信者を認識させる機能をいう。
【００６３】
制御装置２４は、ＣＰＵ（Ｃｅｎｔｒａｌ  Ｐｒｏｃｅｓｓｉｎｇ  Ｕｎｉｔ）から成り、各構成装置の動作を決定するとともに、各構成装置に指令を与える。たとえば、表示装置２００に対して表示の指示を与える。各構成装置の動作の決定には、主としてプログラムが格納されているＲＯＭ２８、メモリ装置２９と相俟って、ＳＭＳ関連操作部２５１や汎用操作部２５２からの入力情報、各構成装置の状態を示す情報、ＰＳＴＮ２からの電気信号などの情報が参照される。
【００６４】
印刷装置２６は、網制御装置２２によってファクシミリ受信された画像データ、ショートメッセージデータ、および画像読取装置２７によって読み取られた画像データを紙などの記録媒体に印刷する。印刷装置２６には、サーマル式、電子写真方式、インクジェット方式などが採用されている。画像読取装置２７は、ファクシミリ送信しようとする原稿や、複写しようとする原稿を読み取り画像データを出力する。画像読取装置２７には、レンズとＣＣＤ（Ｃｈａｒｇｅ  Ｃｏｕｐｌｅｄ
Ｄｅｖｉｃｅ）ラインセンサとの組み合わせによる縮小光学系読取方式、ロッドレンズアレーを用いた密着センサ方式などが採用されている。
【００６５】
メモリ装置２９は、画像データ、プログラムなど各種データの保存および一時記憶などに用いられる汎用メモリ部２９１と、ショートメッセージデータの送受信に関連するファクシミリ装置Ａの動作状態やＳＭＳ機能に専用のデータなどを蓄積するＳＭＳ関連テーブル・メモリ部２９２と、送信先別条件設定テーブル部２９３とで構成されている。なお、ＳＭＳ関連テーブル・メモリ部２９２の内部の区画状態については図３を用いて説明し、送信先別条件設定テーブル部２９３の詳細については図４を用いて説明する。
【００６６】
図３は、ＳＭＳ関連テーブル・メモリ部２９２の内部の区画状態を示す図である。ＳＭＳ関連テーブル・メモリ部２９２の内部は、ＳＭＳＣ３，４に対してそれぞれ領域３０，３１に区画されており、領域３０と領域３１との領域構成は同じである。ここでは、ＳＭＳＣ３，４の２つのＳＭＳＣに対してのみ領域が構成されているが、ファクシミリ装置Ａにこれら以外のＳＭＳＣについても登録がされた場合には、登録されたＳＭＳＣの数に応じてＳＭＳ関連テーブル・メモリ部２９２の内部は区画される。なお、区画される領域の数が増加しても、その領域構成はＳＭＳＣ３，４と同様である。
【００６７】
領域３０の構成について説明する。領域３０は、領域構成部３０ａ〜３０ｊによって構成されている。領域構成部３０ａには、その領域の対象となるＳＭＳＣの名称と、発信者ＩＤが格納されている。図では領域３０の対象となるＳＭＳＣは、ＳＭＳＣ３である。「発信者ＩＤ」は、発信者であるＳＭＳＣを識別するための情報で、ここではＳＭＳＣ３の電話番号の「９８７  ６５４  ３２１」が格納されている。ファクシミリ装置Ａは、このＳＭＳＣ３の電話番号をダイアルすることによって、ＳＭＳＣ３と通信することができる。領域構成部３０ｂには、適用プログラム（プロトコル、パラメータ）が格納されている。「適用プログラム（プロトコル、パラメータ）」とは、ＳＭＳＣ３と送受信を行う際に要求される通信プロトコルやパラメータである。領域構成部３０ｃ〜３０ｊには、過去においてＳＭＳＣ３を介して送受信したショートメッセージデータがメッセージ単位で格納されている。
【００６８】
領域３１は、ＳＭＳＣ４に対応する領域であり、領域構成部３１ａ〜３１ｊによって構成されている。それぞれの領域構成部に格納されるデータは領域３０とほぼ同様であるので詳細な説明は省略する。
【００６９】
図４は、送信先別条件設定テーブル部２９３の内部構成を示す図である。送信先別条件設定テーブル部２９３は、送信先となる通信端末機の発信者ＩＤ、ＴＳＩ（Ｔｒａｎｓｍｉｔｔｉｎｇ  Ｓｕｂｓｃｒｉｂｅｒ  Ｉｄｅｎｔｉｆｉｃａｔｉｏｎ  ｃｏｄｅ；送信端末識別信号）および端末機の種類を示す情報から成る送信先情報４０と、ショートメッセージデータのタイプ番号から成るメッセージ情報４１と、登録されているＳＭＳＣの発信者ＩＤから成るＳＭＳＣ情報４２とから構成される。端末機の種類は、通信端末機の属性を示し、これにはファクシミリ装置、一般電話機、あるいは留守番機能付電話機などが含まれる。端末機の種類を示す情報とは端末機の種類を特定する情報であり、たとえば、ファクシミリ装置ならば「ＦＡＸ」、一般電話機ならば「ＴＥＬ」、留守番機能付電話機ならば「ＴＡＤ（Ｔｅｌｅｐｈｏｎｅ  Ａｎｓｗｅｒｉｎｇ  Ｄｅｖｉｃｅ）」の略語によって表されている。
【００７０】
メッセージ情報４１には、たとえばファクシミリ受信正常終了時および回線捕捉不能時などの状況に応じたショートメッセージデータがタイプ別に設定されている。また、特定の発信者ＩＤ、すなわちブラックリストに記憶されている発信者ＩＤからのファクシミリ送信があった場合にも何らかのメッセージを設定することができる。このブラックリストについては後述する。図４では、ファクシミリ受信正常終了時においてはメッセージタイプ１が設定され、「貴発のＦＡＸ受信致しました。」とのショートメッセージデータを送信するように設定されている。また、回線捕捉不能時においてはメッセージタイプ２が設定され、「貴方が送信を試みたＨＨ（時）ＭＭ（分）発のＦＡＸ受信はできませんでした。」とのショートメッセージデータを送信するように設定されている。ブラックリスト受信時においては、メッセージタイプ０が設定されている。この場合、ショートメッセージデータは何も送信されない。
【００７１】
そして、ＳＭＳＣ情報４２には、ファクシミリ装置Ａが利用するＳＭＳＣとしてＳＭＳＣ３が設定され、その発信者ＩＤである「９８７  ６５４  ３２１」が記憶されている。
【００７２】
このように、送信先の端末機の発信者ＩＤ、端末機の種類、ショートメッセージデータのタイプ、利用するＳＭＳＣの発信者ＩＤを記憶しておくことで、ショートメッセージデータを送信する際に、当該送信先別条件設定テーブル部２９３を参照するだけで、ショートメッセージデータの送信を迅速かつ簡単に行うことができる。
【００７３】
入力装置２５は、複数のＳＭＳＣの中から所定のＳＭＳＣを選択するなどＳＭＳ関連の操作を行うＳＭＳ関連操作部２５１と、ダイアルキーなどから成る汎用操作部２５２とで構成されている。ＳＭＳ関連操作部２５１および汎用操作部２５２については、図５を用いて後述する。
【００７４】
表示装置２００は、液晶パネルなどから成り、ショートメッセージデータなどを表示したりする。
【００７５】
スピーチ回路２２１は通話機能を有し、網制御装置２２がＰＳＴＮ２を介して受信した電気信号を音声信号に変換し、これを送受話器２２２に出力する。また、送受話器２２２から入力された音声を音声信号に変換し、これを網制御装置２２に出力する。送受話器２２２は、ユーザの音声を入力したり、スピーチ回路２２１からの音声を出力したりする。
【００７６】
図５は、ＳＭＳ関連操作部２５１および汎用操作部２５２の詳細を示す図である。ＳＭＳ関連操作部２５１は、ＳＭＳモードキー２５１ａ、表示キー２５１ｂ、新しいメッセージキー２５１ｃ、送信キー２５１ｄ、印刷キー２５１ｅおよびスタートキー２５１ｆから構成される。
【００７７】
ＳＭＳモードキー２５１ａは、ファクシミリ装置Ａの動作モードをファクシミリモードからＳＭＳモードに切り換えるときに入力するキーである。ユーザによって、ＳＭＳモードキー２５１ａが入力されると、制御装置２４は、その旨を表示装置２００に表示させる。
【００７８】
新しいメッセージキー２５１ｃは、ＳＭＳモード時に入力すると、新しいショートメッセージデータの送信を行うことができる。新しいメッセージキー２５１ｃ入力後に、ショートメッセージデータの入力などを行う。
【００７９】
送信キー２５１ｄは、ＳＭＳモード時に入力すると、受信したショートメッセージデータを送信した端末機に対して、作成したショートメッセージデータを返信することができる。たとえば、表示キー２５１ｂを入力して、受信したショートメッセージデータを表示装置２００に表示させた状態で、送信キー２５１ｄを入力し、入力装置２５を用いて送信したいショートメッセージデータを入力すると、表示したショートメッセージデータを送信した端末機に対して、作成したショートメッセージデータを返信することができる。
【００８０】
印刷キー２５１ｅは、ＳＭＳモード時に入力すると、受信したショートメッセージデータや送信済みのショートメッセージデータおよび編集中のショートメッセージデータを印刷装置２６を用いて印刷することができる。たとえば、表示キー２５１ｂを入力して、受信したショートメッセージデータや送信済みのショートメッセージデータを表示装置２００に表示させた状態で、印刷キー２５１ｅを入力すると、表示したショートメッセージデータを印刷することができる。また、送信キー２５１ｄを入力し、入力装置２５を用いて送信したいショートメッセージを入力中に印刷キー２５１ｅを入力すると入力中のショートメッセージデータを印刷装置２６を用いて印刷することもできる。
【００８１】
スタートキー２５１ｆは、上述のショートメッセージデータの送信、表示、印刷を行うときに入力し、各操作を確定する。
【００８２】
また、ＳＭＳモードでは、ファクシミリ装置ＡのＳＭＳ関連テーブル・メモリ部２９２に記憶されている情報や、ＳＭＳＣに設定されているファクシミリ装置Ａに関する情報を変更したりすることもできる。たとえば、ＳＭＳ関連テーブル・メモリ部２９２に、新たにＳＭＳＣを登録したり、既に記憶されているショートメッセージデータの内容などを変更したりすることができる。表示キー２５１ｂを入力すると、送信先別条件設定テーブル部２９３の内容を表示させることができる。
【００８３】
新しいメッセージキー２５１ｃは、新しいショートメッセージデータの定型文を作成する場合に入力する。ユーザによって、定型文が作成された後、新しいメッセージキー２５１ｃが入力されると、当該メッセージにメッセージタイプを示すタイプ番号が付され、ＳＭＳ関連テーブル・メモリ部２９２に記憶される。
【００８４】
汎用操作部２５２は、数字キー、複写を指示するコピーボタンおよびファクシミリ通信を指示するＦＡＸボタンから構成される。
【００８５】
次に、ＳＭＳ機能を有するファクシミリ装置Ａの動作について説明する。図６は、ファクシミリ装置Ａのファクシミリ受信時の動作を示すフローチャートである。ＳＭＳ機能を有するファクシミリ装置Ｂからファクシミリ装置Ａにファクシミリ送信なされ、ステップｘ１では、ファクシミリ装置Ａにおいてファクシミリ受信処理が開始される。
【００８６】
ステップｘ２では、ファクシミリ装置ＢからＰＳＴＮ２を介して、着呼信号（ベル信号）を受信する。ステップｘ３では、発信者ＩＤ（以降、「ＣＩＤ」と呼ぶものとする。なお、「ＣＩＤ」とは「Ｃａｌｌｅｒ  Ｉｄｅｎｔｉｆｉｃａｔｉｏｎ  ｃｏｄｅ；コーラＩＤ」の略称である。）を検出する。このＣＩＤは、第１着呼信号と第２着呼信号との間に挿入され、ＰＳＮＴ２を介して送信される場合と、第１着呼信号の前に挿入されＰＳＮＴ２を介して送信される場合とがある。ＣＩＤを受信すると、通常、発信者番号通知サービスによって発信者側端末機であるファクシミリ装置Ｂの電話番号が受信側端末機であるファクシミリ装置Ａの表示装置２００に表示される。この発信者番号通知サービスは、発信者が任意に制限することが可能である。たとえば、発信者は自己の電話番号を通知したくない場合に、発信者番号通知サービスを制限し、自己の電話番号を非通知とすることができる。発信者番号通知サービスが制限されると、送信されるＣＩＤに発信者の電話番号などの表示を禁止する旨の情報が含まれる。
【００８７】
ステップｘ４では、ファクシミリ装置Ｂが発信者番号通知制限（Ｃａｌｌｉｎｇ  Ｌｉｎｅ  Ｉｄｅｎｔｉｆｉｃａｔｉｏｎ  Ｒｅｓｔｒｉｃｔｉｏｎ；ＣＬＩＲ）を設定しているか否かの判断がなされる。発信者番号通知制限（ＣＬＩＲ）が設定されていればステップｘ５に進み、発信者番号通知制限（ＣＬＩＲ）が設定されていなければステップｘ７に進む。ステップｘ５では、発信者番号通知制限が設定されていても、ファクシミリ受信を認めるか否かが判断される。認める場合はステップｘ９に進み、認めない場合はステップｘ６に進む。ファクシミリ受信を認めるか否かの判断は、ユーザの設定に基づく。ユーザが発信者番号通知制限の有無にかかわらず、ファクシミリ受信を行うよう設定している場合にはファクシミリ受信を認めると判断し、発信者番号通知制限がされていれば、ファクシミリ受信を行わないと設定している場合にはファクシミリ受信を認めないと判断する。ステップｘ６では、回線は捕捉されず、ファクシミリ受信処理が終了する。
【００８８】
ステップｘ７では、ＣＩＤに含まれる発信者番号がいわゆるブラックリストの対象となっている番号か否かが判断される。ブラックリストとは、ユーザが設定した特定の発信者ＩＤから成るリストで、送信先別条件設定テーブル部２９３に記憶されている。このようなリストを作成する目的は、たとえば、いわゆるジャンクファックスを受信拒否するためである。ジャンクファックスとは、不特定多数を対象として送信される広告などから成るファックスであって、受信側の端末機のユーザが受信を望まないものをいう。ジャンクファックスの送信元のＣＩＤをブラックリストの対象として記憶することで、以後、当該ＣＩＤを有するファクシミリ送信がなされた場合に、これを受信拒否することができる。
【００８９】
当該ＣＩＤがブラックリストの対象であればステップｘ８に進み、ブラックリストの対象でなければステップｘ９に進む。ステップｘ８では、回線は捕捉されず、ファクシミリ受信処理を終了する。
【００９０】
ステップｘ９では、ファクシミリ装置Ａによって、自装置についてファクシミリ受信が可能（ＲＣＶ  Ｒｅａｄｙ；Ｒｅｃｅｉｖｅ  Ｒｅａｄｙ）であるか否かが判断される。たとえば、自装置に記録紙は搭載されているか、トナーは十分に充填されているか、メモリの空き容量は確保されているかなどがチェックされる。ファクシミリ受信が可能であればステップｘ１０に進み、ファクシミリ受信が不可能であればステップｘ１３に進む。ステップｘ１０では、回線が捕捉される。ステップｘ１１では、ファクシミリ装置Ａは、ＩＴＵ−Ｔ勧告に基づいたファクシミリ通信フェーズのうち、「フェーズＢ」〜「フェーズＤ」で構成されるいわゆるファクシミリ受信ルーチンに入り、ファクシミリ受信が行われる。なお、ファクシミリ通信フェーズは、「フェーズＡ」〜「フェーズＥ」によって構成され、「フェーズＡ」では着呼信号および応答信号により呼設定が行われ、「フェーズＢ」では呼設定後のファクシミリ送受信のための準備、同期状態の確認などの前処理が行われる。「フェーズＣ」では、送信側のファクシミリ装置からファクシミリデータの送信が行われる。「フェーズＤ」では受信側のファクシミリ装置でのファクシミリデータの受信が終了したことが確認され、「フェーズＥ」では呼の復旧、すなわち回線の切断が行われる。
【００９１】
ステップｘ１２では、回線の切断が行われ、ファクシミリ受信処理が終了する。切断は、正常にファクシミリ受信が終了した後、あるいは途中でエラーの発生などで異常終了した後の何れの場合であってもよい。
【００９２】
一方、記録紙やトナーなどに不備があるため、ファクシミリ受信ができず、ファクシミリ装置Ａがファクシミリ受信ルーチンに入れない場合、ステップｘ１３では、回線は捕捉されず、ファクシミリ装置Ｂからの着呼信号の送信が継続しているか否かの判断が行われる。着呼信号の送信が継続していればステップｘ１３でファクシミリ装置Ａは待機し、着呼信号の送信が終了していればステップｘ１４に進む。ファクシミリ装置Ｂは、ファクシミリ装置Ａが着呼信号に対して送信する応答信号を待ち、待機時間が所定の時間を越えてタイムオーバーになると、着呼信号の送信を停止する。
【００９３】
ステップｘ１４では、ファクシミリ受信状況に関し、確認通知としてのショートメッセージデータの送信が必要であるか否かが判断される。まず、ショートメッセージデータの送信先となるファクシミリ装置Ａにファクシミリ送信を行ったファクシミリ装置ＢがＳＭＳ機能を有しているか、あるいはショートメッセージデータの送信対象であるかが判断される。この判断は、ステップｘ３において取得したＣＩＤと、送信先別条件設定テーブル部２９３の送信先情報４０に記録されている情報とを比較することで行われる。ステップｘ３にて取得したＣＩＤが送信先情報４０に記憶されていなければ、送信先のファクシミリ装置はＳＭＳ機能を有していない、あるいはショートメッセージデータの送信対象でないと判断する。送信先のファクシミリ装置がＳＭＳ機能を有していない場合、あるいはＳＭＳ機能を有していてもショートメッセージデータの送信対象でない場合は、ショートメッセージデータの送信が不要であるとしてステップｘ１８に進む。ステップｘ１８では、ファクシミリ装置Ａは着呼信号の待機状態に戻る。ショートメッセージデータの送信先となるファクシミリ装置がＳＭＳ機能を有しており、かつ、ショートメッセージデータの送信対象である場合は、ショートメッセージデータの送信が必要であるとしてステップｘ１５に進む。
【００９４】
なお、ステップｘ４で発信者番号通知制限がなされているにもかかわらず、ファクシミリ受信を認めた場合、ファクシミリ装置Ｂの電話番号はファクシミリ装置Ａには通知されないので、送信側のファクシミリ装置がファクシミリ装置Ｂであることを認識するために、ＴＳＩ（送信端末識別信号）を用いる。ＴＳＩは、通信制御信号に含まれる端末機の識別信号である。
【００９５】
ここで、ショートメッセージデータの送信先となるファクシミリ装置Ｂは、ＳＭＳ機能を有しており、ショートメッセージデータの送信対象であるので、ショートメッセージデータの送信が必要であるとしてステップｘ１５に進む。ステップｘ１５では、回線が捕捉され、ショートメッセージデータの送信ルーチンに入る。ステップｘ１６では、ファクシミリ装置Ａに登録されているＳＭＳＣ３のＣＩＤがダイアルされる。
【００９６】
ステップｘ１７では、まずファクシミリ装置ＡとＳＭＳＣ３との回線が確立されて、通信が可能となる。そして、ステップｘ３において取得したＣＩＤから、このＣＩＤを有する端末機に対応する送信先別条件設定テーブル部２９３の送信先情報４０が参照され、ショートメッセージデータの送信先となる端末機の種類が確認される。また、送信先別条件設定テーブル部２９３のメッセージ情報４１が参照され、状況に応じたショートメッセージデータのタイプが選択される。最終的には、ファクシミリ装置Ａによって、ショートメッセージデータの送信先となる端末機のＣＩＤ、メッセージデータの本体およびメッセージフォーマットが、ショートメッセージデータの送信を指示する信号とともにＳＭＳＣ３に送信される。メッセージフォーマットとは、端末機の種類に応じて設定されるショートメッセージデータの形式であり、「ファクシミリフォーマット」、「ボイスフォーマット」が含まれる。「ファクシミリフォーマット」とは文字として出力されるショートメッセージデータの形式であり、「ボイスフォーマット」とは音声として出力されるショートメッセージデータの形式である。
【００９７】
ここでは、ショートメッセージデータの送信先となる端末機のＣＩＤはファクシミリ装置ＢのＣＩＤである「２３４  ５６７  ８９０」であり、メッセージのフォーマットは「ファクシミリフォーマット」である。メッセージデータの本体は、たとえば、ステップｘ１１で正常にファクシミリ受信がなされた場合には、メッセージタイプ１の「貴方発のＦＡＸ受信致しました。」を用いることができる。また、たとえば、ステップｘ９で、ファクシミリ装置Ａに記録紙が搭載されておらず受信が不可となり回線を捕捉しなかった場合には、メッセージタイプ２の「貴方が送信を試みたＨＨ（時）ＭＭ（分）発のＦＡＸ受信はできませんでした。」を用いることができる。そして、ステップｘ１９では、ファクシミリ受信処理が終了する。
【００９８】
なお、送信先別条件設定テーブル部２９３に転送先通信端末機のＩＤを記憶しておき、ステップｘ１７で転送先通信端末機に対しても同様のショートメッセージデータを送信してもよい。
【００９９】
このように、ファクシミリ装置Ａからファクシミリ装置Ｂへショートメッセージデータの送信を指示する信号がＳＭＳＣ３に送信されると、ＳＭＳＣ３はファクシミリ装置Ｂのメッセージフォーマットが、自己のデータベースに記憶されているか否かを判断する。ＳＭＳサービスを利用する端末機のメッセージフォーマットは、当該端末機がＳＭＳＣにアクセスする際にＳＭＣのデータベースに記憶され、以後、ショートメッセージデータの送信の際に随時参照される。したがって、ファクシミリ装置ＢのメッセージフォーマットがＳＭＳＣ３のデータベースに記憶されていればそれが参照され、記憶されていなければファクシミリ装置Ｂが予め指定しているメッセージフォーマットによってショートメッセージデータを送信する。これによって、ファクシミリ装置間でショートメッセージデータのメッセージフォーマットが異なる場合であってもショートメッセージデータの送受信を行うことができる。
【０１００】
また、転送先の通信端末機にもショートメッセージデータを送信することで、たとえば外出先など発信側通信端末機から離れていても転送先の通信端末機で通信状況情報を確認することができる。
【０１０１】
以上のように、ファクシミリ通信の受信側であるファクシミリ装置Ａから送信側であるファクシミリ装置Ｂにショートメッセージデータが送信されることによって、ファクシミリ装置Ｂは、ファクシミリ装置Ａでの通信の終了状況を確認することができる。したがって、ファクシミリ受信が正常に終了した場合にはその旨を通知することができ、またファクシミリ受信が何らかの原因によって行えない場合、その理由を通知することができる。これによって、送信側ファクシミリ装置Ｂのユーザは、ファクシミリ送信後にファクシミリ装置Ａにおける受信状況を確認できるので、安心してファクシミリ送信を行うことができる。また、通信の終了状況の確認は、ショートメッセージサービスという既に汎用されている手段を用いるので、新たな手段を構築する場合と比べて、設備投資などに要するコストを抑えることができる。さらに、ショートメッセージデータの送信に要する通信料金は、ショートメッセージデータの送信元であるファクシミリ装置Ａに発生するので、ファクシミリ送信を行った発信者にとって経済的である。
【０１０２】
次に、第２実施形態について説明する。
［第２実施形態］
図７は、ＳＭＳ機能を有する電話機Ｃの構成を示すブロック図である。電話機Ｃは、網制御装置６２、モデム６３、制御装置６４、入力装置６５、スピーチ回路６６、送受話器６７、ＲＯＭ６８、メモリ装置６９および表示装置６００から構成される。さらに、入力装置６５はＳＭＳ関連操作部６５１および汎用操作部６５２から成り、メモリ装置６９は汎用メモリ部６９１、ＳＭＳ関連テーブル・メモリ部６９２および送信先別条件設定テーブル部６９３から成る。網制御装置６２、モデム６３、制御装置６４、入力装置６５およびＳＭＳ関連テーブル・メモリ部６９２は、メッセージ送受信手段を構成する。送受話器６７、スピーチ回路６６および制御装置６４は検出手段を構成する。
【０１０３】
このように、電話機Ｃの構成は、図２に示すファクシミリ装置Ａとほぼ同様であり、ＳＭＳ関連機能も同様である。以下、異なる機能について説明する。
【０１０４】
モデム６３は、ＰＳＴＮ２から受信したアナログ信号を復調したり、さらには、ＳＭＳ機能およびＣＬＩＰ機能に関する信号に対しても変復調を行ったりする。
【０１０５】
次に、ＳＭＳ機能を有する電話機Ｃの動作について説明する。図８は、電話機Ｃの着呼時の動作を示すフローチャートである。ステップｙ１では、電話機Ｃにおいて、電話機Ｄとの通話処理が開始される。ステップｙ２からステップｙ８までの動作は、上述した図６におけるステップｘ２からステップｘ８までのファクシミリ装置Ａの動作と同じである。
【０１０６】
ステップｙ９では、送受話器６７が上げられたことにより、オフフックがなされたか否かが判断される。たとえば、ユーザが在宅しており電話機Ｄを操作することができる場合にはオフフックされるが、ユーザが不在であれば操作することができないのでオフフックされない。オフフックされなかったか否かの判断は、一定時間内に送受話器６７が上げられたか否かを基準とすることができる。この一定時間は、電話機Ｃによって予め設定されてもよいが、ユーザが設定することもできる。オフフックされたと判断すればステップｙ１０に進み、オフフックされなかったと判断すればステップｙ１３に進む。
【０１０７】
ステップｙ１０では、電話機Ｃはユーザが電話機Ｄのユーザと通話できるよう電話機Ｄと通信を行う。ステップｙ１１では、通話が終了しオンフックがされたか否かが判断される。オンフックされればステップｙ１２に進み、オンフックされなければ、オンフックされるまで待機する。ステップｙ１２では、回線の切断が行われ、通話処理が終了する。
【０１０８】
一方、ステップｙ１３では、着呼信号の送信が継続しているか否かが判断される。ここでは、電話機Ｃはオフフックされていないことから、回線は捕捉されず、電話機Ｄから着呼信号が送信され続けている状況となっている。電話機Ｄのユーザは、しばらくの間は着呼信号のリングバックトーンを聞きながら電話機Ｃのユーザが応答するのを待つが、最終的には通話を断念し受話器を下ろす。これによって、オンフックされるので着呼信号の送信は停止される。着呼信号の送信が継続していれば着呼信号の送信が停止されるまでステップｙ１３で待機し、着呼信号が停止されればステップｙ１４に進む。
【０１０９】
ステップｙ１４〜ｙ１９までの動作は、図６に示すステップｘ１４〜ｘ１９の動作とほぼ同様である。ステップｙ１４では、不在通知としてのショートメッセージデータの送信が必要であるか否かが判断される。まず、電話機ＤがＳＭＳ機能を有しているか、あるいはショートメッセージデータの送信対象であるかを判断する。この判断は、ステップＹ３において取得したＣＩＤと、送信先別条件設定テーブル部６９３に記録されている情報との比較によって行われる。通信先の電話機がＳＭＳ機能を有していない場合、あるいはショートメッセージデータの送信対象でない場合は、ショートメッセージデータの送信が不要であるとしてステップｙ１８に進む。ステップｙ１８では、電話機Ｃは待機状態に戻る。
【０１１０】
ショートメッセージデータの送信先となる電話機がＳＭＳ機能を有しており、かつ、ショートメッセージデータの送信対象である場合は、ショートメッセージデータの送信が必要であるとしてステップｙ１５に進む。ここでは、電話機Ｄは、ＳＭＳ機能を有しており、ショートメッセージデータの送信対象であるので、ショートメッセージデータの送信が必要であるとしてステップｙ１５に進む。ステップｙ１５では、回線が捕捉され、ＳＭＳ機能によるショートメッセージデータの送信ルーチンに入る。ステップｙ１６では、契約しているＳＭＳＣ４のＣＩＤがダイヤルされる。
【０１１１】
そして、ステップｙ１７では、まず電話機ＣとＳＭＳＣ４との回線が確立され、通信が可能となる。そして、ステップｙ３において取得したＣＩＤから、このＣＩＤを有する通信端末機に対応する送信先別条件設定テーブル部６９３の情報が参照されて、設定されているショートメッセージデータ送信先の通信端末機の種類が確認されるとともに、ショートメッセージデータのタイプが選択される。そして、電話機Ｃによって、ショートメッセージデータの送信先となる電話機のＣＩＤ、メッセージデータの本体およびメッセージフォーマットが、ショートメッセージデータの送信を指示する信号とともにＳＭＳＣ４に送信される。
【０１１２】
ここでは、ショートメッセージデータの送信先となる電話機のＣＩＤは、電話機ＤのＣＩＤである「４５６  ７８９  ０１２」であり、メッセージのフォーマットはボイスメッセージのフォーマットである。メッセージの本体は、たとえば、「只今、留守です。」、あるいはオプションメッセージである「メッセージタイプ２０」より、「電話番号ＸＸＸＸ…まで連絡ください。」を用いることができる。
【０１１３】
なお、送信先別条件設定テーブル部２９３に転送先通信端末機のＩＤを記憶しておき、ステップｘ１８で転送先通信端末機に対しても同様のショートメッセージデータを送信してもよい。
【０１１４】
このように、電話機Ｃから電話機Ｄへショートメッセージデータの送信を指示する信号がＳＭＳＣ４に送信されると、ＳＭＳＣ４はショートメッセージデータの送信先となる電話機Ｄのメッセージフォーマットが、自己のデータベースに記憶されているか否かを判断する。電話機Ｄのメッセージフォーマットがデータベースに記憶されていればそれを参照し、記憶されていなければ当該メッセージをボイスメッセージに変換してショートメッセージデータを電話機Ｄに送信する。これによって、電話機間でショートメッセージデータのメッセージフォーマットが異なる場合であってもショートメッセージデータの送受信を行うことができる。
【０１１５】
また、転送先の通信端末機にもショートメッセージデータを送信することで、たとえば外出先など発信側通信端末機から離れていても転送先の通信端末機で通信状況情報を確認することができる。
【０１１６】
以上のように、相手側電話機である電話機Ｃから発信側電話機である電話機Ｄにショートメッセージデータが送信されることによって、発信側電話機のユーザは、相手側電話機のユーザの状況を確認することができる。また、相手側電話機のユーザの状況の確認は、ショートメッセージデータという既に汎用されている手段を用いるので、新たな手段を構築する場合と比べて、設備投資などに要するコストを抑えることができる。
【０１１７】
さらに、ショートメッセージデータの送信に要する通信料金は、電話に応答することができなかった電話機Ｃ側に発生するので、電話の発信者にとって経済的である。
【０１１８】
なお、本発明は前記の実施形態に限定されるものではなく、通信機能を有するＰＤＡ（Ｐｅｒｓｏｎａｌ  Ｄｉｇｉｔａｌ  Ａｓｓｉｓｔａｎｃｅ）や携帯電話機などのような通信端末機にＳＭＳ機能が搭載されることにより構成される通信システムであってもよい。
【０１１９】
【発明の効果】
以上のように本発明によれば、通信終了時に着信側通信端末機から通信状況情報が送信されるので、発信側通信端末機のユーザは、ファクシミリデータが正常に送信できたか否かなど、終了した通信の状況を確実に確認することができる。
【０１２０】
また本発明によれば、終了した通信において着信側であった通信端末機が、発信側であった通信端末機宛に、通信状況情報をショートメッセージデータとして送信するので、発信側通信端末機のユーザは、終了した通信の状況を確実に確認することができる。また、通信状況情報は、ショートメッセージデータによって送受信されるので、既存の設備を利用することで、新たなシステムを構築することなくコストを削減することができる。
【０１２１】
また本発明によれば、ファクシミリデータの受信が不可能であった場合、着信側通信端末機は通信回線を捕捉せず、受信を行わないので、無駄なファクシミリデータの送信を防止することができ、さらに通信料金は発生せず、発信側通信端末機のユーザの経済的負担を削減できる。また、ファクシミリデータが受信不可能であったことを発信側通信端末機に通知するので、発信側通信端末機のユーザは、発信側通信端末機に起因してファクシミリデータが正常に受信されなかったことを確認することができる。
【０１２２】
また本発明によれば、着信側通信端末機のユーザが通話不可能であることを、発信側通信端末機のユーザに知らせる場合に、留守番電話機能のような通信料金は発生せず、発信側通信端末機のユーザの経済的負担を削減できる。
【０１２３】
また本発明によれば、通信回線の捕捉前に受信する発信者識別情報を用いるので、通信回線を捕捉せずに、通信状況情報を発信側通信端末機に送信することができる。
【０１２４】
また本発明によれば、発信者識別情報を抽出できない場合であっても、着信側通信端末機は、送信端末識別信号から抽出した電話番号を用いるので、通信回線を捕捉せずに、通信状況情報を発信側通信端末機に送信することができる。
【０１２５】
また本発明によれば、着信側通信端末機がショートメッセージデータと、ショートメッセージデータの形式とをセンタ装置に送信すると、センタ装置が形式を変更してショートメッセージデータを送信するので、ショートメッセージデータの形式に変更する必要がなく、ショートメッセージデータ送信時の処理を削減することができる。
【０１２６】
また本発明によれば、たとえば外出先など発信側通信端末機から離れていても転送先の通信端末機で通信状況情報を確認することができる。
【０１２７】
また本発明によれば、終了した通信において着信側であった通信端末機が、発信側であった通信端末機宛に、通信状況情報をショートメッセージデータとして送信するので、発信側通信端末機のユーザは、終了した通信の状況を確実に確認することができる。また、通信状況情報は、ショートメッセージデータによって送受信されるので、既存の設備を利用することで、新たなシステムを構築することなくコストを削減することができる。
【図面の簡単な説明】
【図１】ＳＭＳ機能を有するファクシミリ装置Ａ，Ｂ、電話機Ｃ，ＤおよびＳＭＳＣ３，４から構成される通信システム１の構成図である。
【図２】ＳＭＳ機能を有するファクシミリ装置Ａの構成を示すブロック図である。
【図３】ＳＭＳ関連テーブル・メモリ部２９２の内部の区画状態を示す図である。
【図４】送信先別条件設定テーブル部２９３の内部構成を示す図である。
【図５】ＳＭＳ関連操作部２５１および汎用操作部２５２の詳細を示す図である。
【図６】ファクシミリ装置Ａのファクシミリ受信時の動作を示すフローチャートである。
【図７】ＳＭＳ機能を有する電話機Ｃの構成を示すブロック図である。
【図８】電話機Ｃの着呼時の動作を示すフローチャートである。
【符号の説明】
１  通信システム
２  公衆回線網（ＰＳＴＮ）
３，４  ＳＭＳＣ（Ｓｈｏｒｔ  Ｍｅｓｓａｇｅ  Ｓｅｒｖｉｃｅ  Ｃｅｎｔｅｒ）
２２，６２  網制御装置
２３  画像用モデム
２４，６４  制御装置
２５，６５  入力装置
２６  印刷装置
２７  画像読取装置
２８，６８  ＲＯＭ（Ｒｅａｄ  Ｏｎｌｙ  Ｍｅｍｏｒｙ）
２９，６９  メモリ装置
３０，３１  領域
３０ａ〜３０ｊ，３１ａ〜３１ｊ  領域構成部
４０  送信先情報
４１  メッセージ情報
４２  ＳＭＳＣ情報
６３  モデム
６６，２２１  スピーチ回路
６７，２２２  送受話器
２００，６００  表示装置
２５１，６５１  ＳＭＳ関連操作部
２５１ａ  ＳＭＳモードキー
２５１ｂ  表示キー
２５１ｃ  新しいメッセージキー
２５１ｄ  送信キー
２５１ｅ  印刷モードキー
２５１ｆ  スタートキー
２５２，６５２  汎用操作部
２９１，６９１  汎用メモリ部
２９２，６９２  ＳＭＳ関連テーブル・メモリ部
２９３，６９３  送信先別条件設定テーブル部
Ａ，Ｂ  ファクシミリ装置
Ｃ，Ｄ  電話機
【図１】
2004254042.tif 000003
【図２】
2004254042.tif 000004
【図３】
2004254042.tif 000005
【図４】
2004254042.tif 000006
【図５】
2004254042.tif 000007
【図６】
2004254042.tif 000008
【図７】
2004254042.tif 000009
【図８】
2004254042.tif 000010